【事件の表示】
　特願２０００−５５７７９９「香料組成物」拒絶査定不服審判事件〔平成１２年　１月１３日国際公開、ＷＯ００／０１３５２、平成１４年　７月　２日国内公表、特表２００２−５１９３６７〕について、次のとおり審決する。
【結　論】
　本件審判の請求は、成り立たない。
【理　由】
第１　手続の経緯 
　本願は，平成１１年７月６日（パリ条約による優先権主張外国庁受理　１９９８年７月７日　グレートブリテン及び北アイルランド連合王国）を国際出願日とする出願であって，平成１９年１２月２６日付けで拒絶理由通知書が出され，平成２０年７月１５日付けで手続補正書が提出されたが，平成２１年１月２７日付けで拒絶査定がなされ，これに対し，同年５月７日に拒絶査定不服審判の請求がされたものである。 
 　 
第２　本願発明について 
１　本願発明の認定 
　本願の請求項１〜６に係る発明は，平成２０年７月１５日付け手続補正書により補正された特許請求の範囲の請求項１〜６に記載された事項により特定されたとおりのものと認められ，その請求項１に係る発明（以下，同項記載の発明を「本願発明」という。）は，下記の事項により特定される発明である。 
「【請求項１】
０．１％超のコリネフォルム細菌に対する最小抑制濃度（ＭＩＣ）を有する香料成分を少なくとも３０重量％含む香料組成物であって，前記香料成分が（Ｚ）−３，４，５，６，６−ペンタメチルヘプト−３−エン−２−オン，２，６，１０−トリメチルウンデク−９−エナール，１−（４−メトキシフェニル）−１−プロペン，ジエチルシクロヘクス−２−エン−１−オン，ジメチルシクロヘクス−２−エン−１−オン，バシル コモレス（Ｂａｓｉｌ ｃｏｍｏｒｅｓ），２−メチル−５−（１−メチル−１−エテニル）−２−シクロヘキセン−１−オン，サリチル酸シス−３−ヘキセニル，メチル−３，３−ジメチルビシクロ（２．２．１）ヘプタン−２−カルボキシレート，シトロネロール，コリアンダー（Ｃｏｒｒｉａｎｄｅｒ），２−メチル−３−（４−（１−メチルエチル）フェニル）プロパナール，１−（２，６，６−トリメチル−１，３−シクロヘキサジエニル）−２−ブテン−１−オン，ジヒドロジャスモン，酢酸α，α−ジメチルフェニルエチル，アントラニル酸ジメチル，１−（２−（（１−（エチルオキシ）エチル）オキシ）エチル）ベンゼン，４−（４−メチル−３−ペンテニル）シクロヘクス−３−エン−１−カルバルデヒド，３−（４−メチル−３−ペンテニル）シクロヘクス−３−エン−１−カルバルデヒド，モミの針状葉（Ｆｉｒ ｎｅｅｄｌｅ），３−（１，３−ベンゾジオキソル−５−イル）−２−メチルプロパノール，イオノン，エタン酸トリシクロ[５．２．１．０ ２．６]デク−４−エン−８−イル，ジャスモピラン フォルテ，１−メトキシ−４−（２−プロペニル）−ベンゼン，エタン酸２−（１，１−ジメチルエチル）シクロヘキシル，ＰＴＢＣＨＡ，２，４−ジメチル−４−フェニルテトラヒドロフラン，４−メチル−２−（２−メチルプロプ−１−エニル）テトラヒドロピラン，ローズマリー ツニシアン（Ｒｏｓｅｍａｒｙ Ｔｕｎｉｓｉａｎ），３，６−ジヒドロ−２−フェニル−４−メチル−２Ｈ−ピラン，テルピノレン エキストラ，テトラヒドロ リナロール，タイム ホワイト（Ｔｈｙｍｅ ｗｈｉｔｅ），ティー−ツリー ピュア（Ｔｉ−ｔｒｅｅ ｐｕｒｅ）およびウンデカラクトン ガンマの中から選択される１つ以上であることを特徴とする，香料組成物。」　
　
２　引用刊行物およびその記載事項 
　原査定の拒絶の理由で引用され，本願優先権主張日前に頒布された刊行物である刊行物１：特開平０６−１７９６１０号公報（拒絶理由の引用文献Ｍ）には，以下の事項が記載されている。 
 　 
（１）刊行物１に記載された事項 
［１ａ］「【請求項１】　Ａ）汗及び人体皮膚菌相に安定な以下の各群
Ａ−１）シトロネロール，ゲラニオール，テトロヒドロゲラニオール，ファルネソール及びフェニルエチルジメチルカービノールから選ばれた少なくとも１種のアルコール類
Ａ−２）酢酸ジメチルベンジルカービニル，酢酸シトロネリル，酢酸トリクロロメチルフェニルカービニル，ブラシル酸エチレン，サルチル酸シス−３−ヘキセニル，サリチル酸シクロヘキシル，クマリン及びγ−デカラクトンから選ばれた少なくとも１種のエステル類及び／又はラクトン類
Ａ−３）シス−ジャスモン，ヘリオトロピン，ムスクケトン及びメチルノニルアセトアルデヒドから選ばれた少なくとも１種のケトン類，アルデヒド類とそれらのケタール類及び／又はアセタール類
Ａ−４）４−（４−ヒドロキシ−４−メチルペンチル）−３−シクロヘキセンカルバルデヒド，ジヒドロジャスミン酸メチルから選ばれた少なくとも１種の複数官能基を有する化合物類
のうちから選ばれる１種以上の香料混合物と
Ｂ）汗及び人体皮膚菌相存在下で香気がマッチングする上記Ａ群の香料混合物以外の以下の各群
Ｂ−１）ジヒドロミルセノール，ジヒドロリナロール，ターピネオール，ネロール，オイゲノール，イソボルニルシクロヘキサノール，２，６−ジメチル−２−ヘプタノール，５−（２，２，３−トリメチルシクロペンテ−３−イル）−２−ブテン−１−オール，２−エチル−４−（２，２，３−トリメチル−３−シクロペンテン）−２−ブテノールから選ばれた少なくとも１種のアルコール類
Ｂ−２）酢酸ゲラニル，酢酸イソボルニル，酢酸セドリル，酢酸ベンジル，酢酸スチアリル，酢酸ジメチルベンジルカルビニル，プロピオン酸ベンジル，サルチル酸イソアミル，γ−ノナラクトン，アセチル化セドレン及び酢酸フェニルエチルから選ばれた少なくとも１種のエステル類及び／又はラクトン類
Ｂ−３）ヨノン，γ−メチルヨノン，シトラール，バニリン，α−ｎ−アミルシンナミックアルデヒド，α−メチル−３，４−メチレンジオキシヒドロシンナミックアルデヒド，ガラクソリッド，ｐ−ｔ−ブチル−α−メチルヒドロシンナミックアルデヒド，２−アセチル−２，３，８，８−テトラメチルオクタリン（イソＥスーパー）から選ばれた少なくとも１種のケトン類，アルデヒド類とそれらのケタノール類，アセタノール類及び／又はエーテル類
Ｂ−４）４−（ｐ−ヒドロキシフェニル）−２−ブタノン，インドール，イソブチルキノリン，スカトール，ヒドロキシジメチルレゾルシン酸メチル，ローズ油，ジャスミン油，イランイラン油，ガルバナム油，クローブバッド油，エストラゴン油，アルモイス油，ガルダモン油，ベチバー油，サンダルウッド油，クラリーセージ油，スペアーミント油，ゲラニウム油，ペチグレン油，オークモス，バニラから選ばれた少なくとも１種の精油類及び／又は複数官能基を有する化合物類
のうちから選ばれる１種以上の香料混合物と
Ｃ）汗及び人体皮膚菌相存在下で不安定で香気が変質してしまう以下の各群
Ｃ−１）ｄ−リモネン，β−ピネン，ｐ−サイメン，ベルガモット油，ライム油，レモン油，オレンジ油，グレープフルーツ油，マンダリン油，バージル油，パインニードル油，アンジエリカルート油，アンジェリカシード油，シュニパーベリー油，ローズマリー油及びカストリウムアブソリュートから選ばれた少なくとも１種のハイドロカーボン類及び／又は精油類
Ｃ−２）メントール，リナロール及びフェニルエチルアルコールから選ばれた少なくとも１種のアルコール類
Ｃ−３）酢酸リナリル，酢酸シス−３−ヘキセニル及びアントラニル酸メチルから選ばれた少なくとも１種のエステル類
Ｃ−４）ヒドロキシシトロネラールジエチルアセタール，デカナール及びウンデシレニックアルデヒドから選ばれた少なくとも１種のアルデヒド類，ケトン類とこれらのケタール類，アセタール類
から選ばれる１種以上の香料混合物の３群からなり，Ａ群とＢ群の香料混合物の総和が７５重量％以上であり，Ｃ群の香料混合物の総和が２５重量％以下であることを特徴とする香料組成物。」（【特許請求の範囲】） 
 　 
［１ｂ］「【０００１】
【産業上の利用分野】本発明は，香料組成物に関し，詳しくは汗及び体臭関連微生物の存在下でも香調が変質することがなく，更に汗臭及び体臭をマスキングすることができる香料組成物に関する。」
　
［１ｃ］「【０００２】
【従来の技術】体臭あるいは汗臭等の原因については未だ十分に解明されていないが，皮脂腺，アポクリン腺，エクリン腺などの汗腺からの分泌物が酸化したり，微生物の作用を受けて原因物質が生じると考えられている。体臭などの予防又は低減を意図する製品は従来より多数あり，これらの多くは通常，制汗剤，殺菌剤，有臭成分のマスキング剤などが配合されている。
・・・
【０００４】
【発明が解決しようとする課題】
・・・
【０００５】更に，上記殺菌剤は安全性の問題が指摘されており，その効果が十分に発現する濃度で配合できないという欠点がある。その上，殺菌剤によってすべての皮膚寄生菌を駆逐してしまい，皮膚表面での自然状態の崩壊を伴う。
・・・
【０００６】したがって，本発明の目的は汗や微生物そのものを抑制するのではなく，それからの存在下でも香調が変化することなく安定で，かつ体臭や汗臭をマスキングする効果をもつ香料組成物を提供することにある。」 
 　 
［１ｄ］「【００１３】２）香調の変化，マッチング度の評価は，香料可溶化液＋汗と香料可溶化液＋汗＋混合菌液を３７℃で２４時間振盪培養したものを，直前に香料可溶化液を汗又は汗と混合菌液に加えたものをコントロールとして専門パネラー４人により次の評価基準により行った。なお，酸臭，汗臭については特筆すべき事項のみを記した。
【００１４】香調　０：変化なし，１：やや変化あり，２：変化あり，３：かなり変化あり，４：非常に変化あり
マッチング度　×：全くない，△：僅かにある，〇：ある，◎：かなりある
酸臭・汗臭　＋：コントロールより強い，−：コントロールより低い」 
 　 
［１ｅ］「【００２５】実施例１〜６
前述の試験結果を参考にしてフローラル調，ムスキーウッディー調，シトラス調，ジャスミン調，ローズ調の以下の処方を調製し，従来のものと比較検討した結果を第３表の後に第４〜９表として示す。
・・・
【００２８】
【表５】
・・・
【００３０】
【表７】
」 
 　 
３　対比・判断 
（１）刊行物１記載の発明 
　特に上記［１ａ］［１ｂ］［１ｅ］（実施例１）の記載によれば，刊行物１には，以下の発明（以下，「刊行物１発明」という。）が記載されていると認められる。 
「汗及び体臭関連微生物の存在下でも香調が変質することがなく，更に汗臭及び体臭をマスキングすることができる，以下の香料を調合する１０００重量部の香料組成物。
ゲラニオール　　　　　　　　　　　１８０．００
シトロネロール　　　　　　　　　　３５０．００
テトラヒドロゲラニオール　　　　　　１０．００
酢酸シトロネリル　　　　　　　　　　２０．００
ネロール　　　　　　　　　　　　　１１０．００
オイゲノール　　　　　　　　　　　　１５．００
ジヒドロリナロール　　　　　　　　　１０．００
酢酸ゲラニル　　　　　　　　　　　　１０．００
酢酸フェニルエチル　　　　　　　　１００．００
酢酸ジメチルベンジルカルビニル　　　１０．００
ヨノン　　　　　　　　　　　　　　　２０．００
γ−メチルヨノン　　　　　　　　　　１０．００
シトラール　　　　　　　　　　　　　　５．００
ローズ油　　　　　　　　　　　　　　２０．００
フェニルエチルアルコール　　　　　１００．００
リナロール　　　　　　　　　　　　　２０．００
酢酸シス−３−ヘキセニル　　　　　　　５．００
デカナール　　　　　　　　　　　　　　３．００
ウンデシレニックアルデヒド　　　　　　２．００」 
 　 
（２）本願発明と刊行物１発明との対比・検討
ア　刊行物１発明の「香料」の一つ「シトロネロール」は，本願発明の「香料成分」の選択肢内にある「シトロネロール」に相当する。
　また，刊行物１発明の「香料」の一つ「酢酸ジメチルベンジルカルビニル」は，本願明細書段落【００１９】に「酢酸ジメチルベンジルカルビニル（酢酸α，α−ジメチルフェニルエチル）」との記載を鑑みると，本願発明の「香料成分」の選択肢内にある「酢酸α，α−ジメチルフェニルエチル」に相当する。 
　
イ　刊行物１発明の「香料組成物」は，全量である１０００重量部のうち，「シトロネロール」を３５０重量部，及び「酢酸ジメチルベンジルカルビニル」を１０重量部含有することから，本願発明の「香料成分が・・・，シトロネロール，・・・，酢酸α，α−ジメチルフェニルエチル，・・・の中から選択される１つ以上」であって該香料成分を「少なくとも３０重量％含む香料組成物」に包含される。
 　 
　以上のことを総合すると，両発明は，「香料成分であるところの，シトロネロール及び酢酸α，α−ジメチルフェニルエチルを，少なくとも３０重量％含む香料組成物。」という点で一致し，
　香料成分について，本願発明では「０．１％超のコリネフォルム細菌に対する最小抑制濃度（ＭＩＣ）を有する香料成分」と特定されているのに対し，刊行物１発明ではそのような特定がなされていない点で一応相違する。
 　 
　しかしながら，刊行物１発明に係る香料成分であるところの，シトロネロール及び酢酸ジメチルベンジルカルビニルと，本願発明に係るシトロネロール及び酢酸α，α−ジメチルフェニルエチルとは，物質として同じである以上，同じ特性を有しているのは当然のことである。
　そして，刊行物１発明に係る香料組成物は，酸臭・汗臭を効果的にマスキングするにもかかわらず，皮膚寄生菌の生存を抑制してしまうという，従来の殺菌剤が示すような欠点を伴うものでない（［１ｂ］〜［１ｅ］）。
　したがって，刊行物１発明は，発明の構成及び効果において，本願発明と実質的に何ら相違するものでなく，新規な物の発明とはいえないのであって，香料成分に備わった上記特性を，技術的特徴として付加したに過ぎないといえる。すなわち，上記特性は，刊行物１発明の香料成分及び香料組成物の使用態様と相違する新規な技術的特徴の提示とはいえない。
 　 
４　むすび 
　したがって，本願請求項１に記載された発明は，刊行物１に記載された発明であるから，特許法第２９条第１項第３号の規定により，特許を受けることができないものである。 
 　そして，その余の請求項に記載された発明についても同様である。 
 　よって，結論のとおり審決する。